(57)【要約】【課題】  発電機能を有するものであって構造が簡易な散水装置を提供する。【解決手段】  給水管と、ヘッド部と、発電部とを備え、給水管が、加圧水を供給するものであり、ヘッド部が、給水管に対して回転自在に取り付けた回転体と、回転体から半径方向に延びるノズルと、ノズルに設けられており略円周方向に開口する噴出口とを有するものであり、噴出口から噴出する加圧水の反力によりヘッド部が回転して周囲に散水するものであって、発電部が、ヘッド部の回転により発電を行うものである。【選択図】      図１
2014079707.tif 000002
【特許請求の範囲】
【請求項１】
給水管と、ヘッド部と、発電部とを備え、
給水管が、加圧水を供給するものであり、
ヘッド部が、給水管に対して回転自在に取り付けた回転体と、回転体から半径方向に延びるノズルと、ノズルに設けられており略円周方向に開口する噴出口とを有するものであり、
噴出口から噴出する加圧水の反力によりヘッド部が回転して周囲に散水するものであって、
発電部が、ヘッド部の回転により発電を行うものであることを特徴とする散水装置。
【請求項２】
発電部が、発電機と、連結軸とを備え、
連結軸が、回転体と、発電機の入力軸とを連結するものであることを特徴とする請求項１記載の散水装置。
【請求項３】
二つのヘッド部を有しており、
両ヘッド部は互いに逆向きに回転するものであり、
発電部が、発電機と、増速機と、連結軸と、連結管とを備え、
増速機の出力軸が発電機の入力軸に連結されており、
連結軸が、一方のヘッド部の回転体と、増速機の入力軸とを連結するものであり、
連結管が、連結軸に外挿されるものであって、他方のヘッド部の回転体と、増速機の本体とを連結するものであることを特徴とする請求項１記載の散水装置。
【請求項４】
発電部が、磁石と、コイルとを備え、
ノズルと設置部の一方に磁石が取り付けられており、他方にコイルが取り付けられていて、
ヘッド部の回転に伴って磁石とコイルが擦れ違うことにより発電するものであることを特徴とする請求項１記載の散水装置。
【請求項５】
複数のヘッド部を有しており、
隣接するヘッド部は互いに逆向きに回転するものであり、
発電部が、磁石と、コイルとを備え、
隣接する一方のヘッド部のノズルに磁石が取り付けられており、他方のヘッド部のノズルにコイルが取り付けられていて、
各ヘッド部の回転に伴って磁石とコイルが擦れ違うことにより発電するものであることを特徴とする請求項１記載の散水装置。
【発明の詳細な説明】
【技術分野】
【０００１】
本発明は、発電機能を有する散水装置に関する。
【背景技術】
【０００２】
従来、消火用など種々の目的で散水装置が利用されている。一般的な散水装置は、加圧水を供給する給水管に、ヘッド部が取り付けられたものであり、このヘッド部が、加圧水を周囲に散布する。ヘッド部の構成には、様々なものがある。ところで、このような散水装置において、加圧水が有するエネルギを有効に利用するために、発電機能を有するものが提案されている。例として、特許文献１および２の発明が挙げられ、これらは何れも、噴出口の上流側に発電用のプロペラが設けられており、水流によってプロペラが回転することで発電を行うものである。そして、発電した電力により、ＬＥＤを点灯させたり、散水装置自体を制御したりしている。
【先行技術文献】
【特許文献】
【０００３】
【特許文献１】特開２０００−３５０５４９号公報
【特許文献２】特開平１０−５７５１７号公報
【発明の概要】
【発明が解決しようとする課題】
【０００４】
しかしながら、特許文献１および２の発明は、発電用のプロペラがヘッド部や給水管の内部に設けられており、構造が複雑にならざるを得ず、コストが高くなり、またメンテナンス性が悪いという問題があった。
【０００５】
本発明は、上記事情を鑑みたものであり、発電機能を有するものであって構造が簡易な散水装置を提供することを目的とする。
【課題を解決するための手段】
【０００６】
本発明のうち請求項１の発明は、給水管と、ヘッド部と、発電部とを備え、給水管が、加圧水を供給するものであり、ヘッド部が、給水管に対して回転自在に取り付けた回転体と、回転体から半径方向に延びるノズルと、ノズルに設けられており略円周方向に開口する噴出口とを有するものであり、噴出口から噴出する加圧水の反力によりヘッド部が回転して周囲に散水するものであって、発電部が、ヘッド部の回転により発電を行うものであることを特徴とする。
【０００７】
本発明のうち請求項２の発明は、発電部が、発電機と、連結軸とを備え、連結軸が、回転体と、発電機の入力軸とを連結するものであることを特徴とする。なお、「連結軸が、回転体と、発電機の入力軸とを連結する」場合には、連結軸が回転体と発電機の入力軸とを直接連結する場合と、増速機を介して連結する場合の両方を含む。
【０００８】
本発明のうち請求項３の発明は、二つのヘッド部を有しており、両ヘッド部は互いに逆向きに回転するものであり、発電部が、発電機と、増速機と、連結軸と、連結管とを備え、増速機の出力軸が発電機の入力軸に連結されており、連結軸が、一方のヘッド部の回転体と、増速機の入力軸とを連結するものであり、連結管が、連結軸に外挿されるものであって、他方のヘッド部の回転体と、増速機の本体とを連結するものであることを特徴とする。
【０００９】
本発明のうち請求項４の発明は、発電部が、磁石と、コイルとを備え、ノズルと設置部の一方に磁石が取り付けられており、他方にコイルが取り付けられていて、ヘッド部の回転に伴って磁石とコイルが擦れ違うことにより発電するものであることを特徴とする。
【００１０】
本発明のうち請求項５の発明は、複数のヘッド部を有しており、隣接するヘッド部は互いに逆向きに回転するものであり、発電部が、磁石と、コイルとを備え、隣接する一方のヘッド部のノズルに磁石が取り付けられており、他方のヘッド部のノズルにコイルが取り付けられていて、各ヘッド部の回転に伴って磁石とコイルが擦れ違うことにより発電するものであることを特徴とする。
【発明の効果】
【００１１】
本発明のうち請求項１の発明によれば、ヘッド部の回転により発電を行うものであるから、発電のための特別な構造や部材は不要である。よって、構造が簡易になるので、コストが安く、またメンテナンス性も良好である。
【００１２】
本発明のうち請求項２の発明によれば、ヘッド部の回転体に発電機の入力軸を連結するという簡易な構造で発電が可能となる。
【００１３】
本発明のうち請求項３の発明によれば、ヘッド部の回転体に発電機の入力軸を連結するという簡易な構造で発電が可能となる。また、増速機の本体が入力軸と逆向きに回転することにより、増速機の本体に対する入力軸の相対回転速度は速くなるので、その結果、出力軸の回転速度が速くなり、より発電量が大きくなる。
【００１４】
本発明のうち請求項４の発明によれば、ノズルと設置部の一方に磁石を取り付け、他方にコイルを取り付けるという簡易な構造で発電が可能となる。
【００１５】
本発明のうち請求項５の発明によれば、隣接するヘッド部のノズルの一方に磁石を取り付け、他方にコイルを取り付けるという簡易な構造で発電が可能となる。また、磁石を取り付けたヘッド部とコイルを取り付けたヘッド部が互いに逆向きに回転することにより、磁石とコイルが擦れ違う相対速度が速くなるので、より発電量が大きくなる。
【図面の簡単な説明】
【００１６】
【図１】散水装置の第一実施形態であり、（ａ）は平面図、（ｂ）は側面図である。
【図２】散水装置の第二実施形態であり、（ａ）は平面図、（ｂ）は側面図である。
【図３】散水装置の第三実施形態の側面図である。
【図４】散水装置の第四実施形態の側面図である。
【図５】散水装置の第五実施形態の側面図である。
【発明を実施するための形態】
【００１７】
本発明の散水装置の具体的な構成について、各図面に基づいて説明する。散水装置の第一実施形態は、図１に示すように、給水管１と、ヘッド部２と、発電部３からなる。給水管１は、加圧水を供給するものであって、端部が垂直に立ち上がっている。そして、給水管１の先端（上端）に、ヘッド部２が取り付けられている。ヘッド部２は、回転体２１と、ノズル２２と、噴出口２３からなる。回転体２１は、円管形で上面が塞がれており、給水管１の先端の開口部を覆うようにして、給水管１に対して垂直軸周りに回転自在に取り付けられている。ノズル２２は、円管からなり、回転体２１の側面から水平方向（回転体２１の回転の半径方向）に延びるものであって、回転体２１の中心に対して１８０度の位置に二本設けられている。そして、ノズル２２の端部は水平方向に９０度屈曲して、回転体２１の回転の円周方向に向けて開口しており、この屈曲した部分が噴出口２３となっている。二本のノズル２２のそれぞれの噴出口２３は、反対方向を向いている。このように構成した給水管１およびヘッド部２は、給水管１の内部から、回転体２１の内部、ノズル２２の内部を経由して噴出口２３までが連通している。
【００１８】
さらに、このヘッド部２に対して、発電部３が接続されている。発電部３は、発電機３１と、連結軸３２と、増速機３３からなる。発電機３１および増速機３３は、散水装置の設置部（地面や建築物の躯体など）に固定されており、増速機３３の出力軸３３２が発電機３１の入力軸３１１に連結されている。そして、連結軸３２は、上下に延びるものであり、上端がヘッド部２の回転体２１の内部に固定されており、下端が増速機３３の入力軸３３１に連結されている。
【００１９】
このように構成した散水装置の第一実施形態においては、加圧水が、給水管１から回転体２１の内部、ノズル２２の内部を通って、噴出口２３より噴流となって噴出される。すると、噴流となった加圧水の反力により、ヘッド部２が加圧水の噴出方向と逆向きに回転する（図１では反時計回りに回転）。噴流は運動エネルギを持っているので、回転中心から離れるように飛散し、周囲３６０度にまんべんなく散水される。ヘッド部２は、加圧水の持つエネルギによって回転するものであり、回転させるために別途エネルギを供給する必要はない。そして、このヘッド部２の回転に伴って、ヘッド部２の回転体２１に固定された連結軸３２が回転し、さらに連結軸３２に増速機３３を介して連結された発電機３１が駆動され、発電が行われる。
【００２０】
この散水装置の第一実施形態によれば、ヘッド部２が増速機３３を介して発電機３１に連結されているので、発電に際して、加圧水が有するエネルギを回転運動に変換するための特別な構造や部材は不要である。よって、構造が簡易になるので、コストが安く、またメンテナンス性も良好である。
【００２１】
次に、散水装置の第二実施形態について、図２に基づき説明する。第二実施形態は、上下に二つのヘッド部２ａ，２ｂを有しており、上側のヘッド部２ａを一段目、下側のヘッド部２ｂを二段目とする。一段目のヘッド部２ａは、第一実施形態のヘッド部と全く同じものであり、給水管１の先端（上端）に取り付けられている。一方、二段目のヘッド部２ｂも略同じものであるが、回転体２１ｂが、円管形で給水管１に外挿されて、給水管１に対して垂直軸周りに回転自在に取り付けられている。また、一段目のヘッド部２ａと二段目のヘッド部２ｂは噴出口２３ａ，２３ｂの向きが逆になっている。
【００２２】
さらに、このヘッド部２ａ，２ｂに対して、発電部３が接続されている。発電部３は、発電機３１と、連結軸３２と、増速機３３と、連結管３４からなる。発電機３１は散水装置の設置部（地面や建築物の躯体など）に固定されているが、増速機３３は固定されておらず、増速機３３の出力軸３３２が発電機３１の入力軸３１１に連結されている。そして、連結軸３２は、上下に延びるものであり、上端が一段目のヘッド部２ａの回転体２１ａの内部に固定されており、下端が増速機３３の入力軸３３１に連結されている。また、連結管３４は、上下に延びる円管からなり、連結軸３２に外挿されるものであって、上端が二段目のヘッド部２ｂの回転体２１ｂの内部に固定されており、下端が増速機３３の本体に連結されている。
【００２３】
このように構成した散水装置の第二実施形態においては、加圧水が、給水管１から一段目および二段目のヘッド部２ａ，２ｂの回転体２１ａ，２１ｂの内部、ノズル２２ａ，２２ｂの内部を通って、噴出口２３ａ，２３ｂより噴流となって噴出される。すると、噴流となった加圧水の反力により、ヘッド部２ａ，２ｂが加圧水の噴出方向と逆向きに回転する。ここで、一段目のヘッド部２ａと二段目のヘッド部２ｂは噴出口２３ａ，２３ｂの向きが逆になっているから、両ヘッド部２ａ，２ｂは逆向きに回転する（図２では、一段目は反時計回り、二段目は時計回りに回転）。噴流は運動エネルギを持っているので、回転中心から離れるように飛散し、周囲３６０度にまんべんなく散水される。ヘッド部２ａ，２ｂは、加圧水の持つエネルギによって回転するものであり、回転させるために別途エネルギを供給する必要はない。そして、一段目のヘッド部２ａの回転に伴って、ヘッド部２ａの回転体２１ａに固定された連結軸３２が回転し、連結軸３２に連結された増速機３３の入力軸３３１を回転させる。一方、二段目のヘッド部２ｂの回転に伴って、ヘッド部２ｂの回転体２１ｂに固定された連結管３４が回転し、連結管３４に連結された増速機３３の本体を回転させる。一段目のヘッド部２ａと二段目のヘッド部２ｂは逆向きに回転するから、増速機３３の入力軸３３１と本体も逆向きに回転する。これにより、増速機３３の本体に対する入力軸３３１の相対回転速度が速くなる。たとえば、両ヘッド部２ａ，２ｂの回転速度が同じ場合、相対回転速度はその二倍となる。よって、増速機３３の増速率が１：１であれば、出力軸３３２の回転速度は入力軸３３１の回転速度（ヘッド部２ａ，２ｂの回転速度）の二倍に、増速率が１：５であれば、出力軸３３２の回転速度は入力軸３３１の回転速度の十倍になる。両ヘッド部２ａ，２ｂの回転速度が異なる場合にも、同様に増速される。そして、このように増速された増速機３３の出力軸３３２によって発電機３１が駆動されて発電が行われるので、より発電量が大きくなる。
【００２４】
この散水装置の第二実施形態によれば、一段目のヘッド部２ａが増速機３３を介して発電機３１に連結されており、二段目のヘッド部２ｂが増速機３３に連結されているので、発電に際して、加圧水が有するエネルギを回転運動に変換するための特別な構造や部材は不要である。よって、構造が簡易になるので、コストが安く、またメンテナンス性も良好である。そして、増速機３３の本体が入力軸３３１と逆向きに回転することにより、増速機３３の本体に対する入力軸３３１の相対回転速度は速くなるので、その結果、出力軸３３２の回転速度が速くなり、より発電量が大きくなる。
【００２５】
次に、散水装置の第三実施形態について、図３に基づき説明する。第三実施形態は、一つのヘッド部２を有するものであり、給水管１およびヘッド部２の構成は第一実施形態と同じである。
【００２６】
そして、ヘッド部２に対して、発電部３が接続されている。発電部３は、磁石３５と、コイル３６と、電子回路３７からなる。磁石３５は、ノズル２２の下面に取り付けられており、コイル３６は、地面（散水装置の設置部）の磁石３５に対向する位置に埋め込まれている。そして電子回路３７は、コイル３６に接続されており、コイル３６から誘導電流を取り出すためのものである。
【００２７】
このように構成した散水装置の第三実施形態においては、第一実施形態と同様に、加圧水の噴流の反力によりヘッド部２が回転して散水される。そして、このヘッド部２の回転に伴って、磁石３５とコイル３６が擦れ違うことにより、電磁誘導によって誘導電流が発生するので、電子回路３７によりこの誘導電流を取り出すことで発電が行われる。
【００２８】
この散水装置の第三実施形態によれば、ノズル２２に磁石３５が取り付けられ、設置部にコイル３６が取り付けられており、発電に際して、加圧水が有するエネルギを回転運動に変換するための特別な構造や部材は不要である。よって、構造が簡易になるので、コストが安く、またメンテナンス性も良好である。また、発電部３がすべて散水装置の外側に取り付けられるものであるから、既設の散水装置に後付けして、発電機能を付加することも可能である。
【００２９】
次に、散水装置の第四実施形態について、図４に基づき説明する。第四実施形態は、上下に二つのヘッド部２ａ，２ｂを有するものであり、給水管１およびヘッド部２ａ，２ｂ（回転体２１ａ，２１ｂ、ノズル２２ａ，２２ｂ、噴出口２３ａ，２３ｂ）の構成は第二実施形態と同じである。上側のヘッド部２ａを一段目、下側のヘッド部２ｂを二段目とし、一段目のヘッド部２ａと二段目のヘッド部２ｂは、加圧水の噴流により逆向きに回転する。
【００３０】
そして、ヘッド部２ａ，２ｂに対して、発電部３が接続されている。発電部３は、磁石３５と、コイル３６と、電子回路３７からなる。磁石３５は、一段目のヘッド部２ａのノズル２２ａの下面に取り付けられており、コイル３６は、二段目のヘッド部２ｂのノズル２２ｂの上面の磁石３５に対向する位置に取り付けられている。そして電子回路３７は、コイル３６に接続されており、コイル３６から誘導電流を取り出すためのものである。
【００３１】
このように構成した散水装置の第四実施形態においては、第二実施形態と同様に、加圧水の噴流の反力によりヘッド部２ａ，２ｂが回転して散水される。この際、一段目のヘッド部２ａと二段目のヘッド部２ｂは逆向きに回転する。そして、このヘッド部２ａ，２ｂの回転に伴って、磁石３５とコイル３６が擦れ違うことにより、電磁誘導によって誘導電流が発生するので、電子回路３７によりこの誘導電流を取り出すことで発電が行われる。この際、磁石３５を取り付けた一段目のヘッド部２ａと、コイル３６を取り付けた二段目のヘッド部２ｂが互いに逆向きに回転することにより、磁石３５とコイル３６が擦れ違う相対速度が速くなるので、より発電量が大きくなる。
【００３２】
この散水装置の第四実施形態によれば、二本のノズル２２ａ，２２ｂにそれぞれ磁石３５とコイル３６が取り付けられており、発電に際して、加圧水が有するエネルギを回転運動に変換するための特別な構造や部材は不要である。よって、構造が簡易になるので、コストが安く、またメンテナンス性も良好である。また、発電部３がすべて散水装置の外側に取り付けられるものであるから、既設の散水装置に後付けして、発電機能を付加することも可能である。そして、磁石３５とコイル３６がそれぞれ互いに逆回転するノズル２２ａ，２２ｂに取り付けられていて擦れ違う相対速度が速くなるので、より発電量が大きくなる。
【００３３】
次に、散水装置の第五実施形態について、図５に基づき説明する。第五実施形態は、上下に三つのヘッド部２ａ，２ｂ，２ｃを有しており、上側のヘッド部２ａを一段目、中央のヘッド部２ｂを二段目、下側のヘッド部２ｃを三段目とする。給水管１およびヘッド部２ａ，２ｂ，２ｃ（回転体２１ａ，２１ｂ，２１ｃ、ノズル２２ａ，２２ｂ，２２ｃ、噴出口２３ａ，２３ｂ，２３ｃ）の構成は、第二実施形態と同じである（一段目のヘッド部２ａは第二実施形態の一段目のヘッド部２ａと、二段目および三段目のヘッド部２ｂ，２ｃは第二実施形態の二段目のヘッド部２ｂと同じである）。加圧水の噴流によって、一段目のヘッド部２ａと三段目のヘッド部２ｃは同じ向きに回転し、二段目のヘッド部２ｂは逆向きに回転する。
【００３４】
そして、ヘッド部２ａ，２ｂに対して、発電部３が接続されている。発電部３は、二つの磁石３５と、コイル３６と、電子回路３７からなる。磁石３５は、一段目のヘッド部２ａのノズル２２ａの下面と、三段目のヘッド部２ｃのノズル２２ｃの上面に取り付けられており、コイル３６は、二段目のヘッド部２ｂのノズル２２ｂの両磁石３５に対向する位置に取り付けられている。そして電子回路３７は、コイル３６に接続されており、コイル３６から誘導電流を取り出すためのものである。
【００３５】
このように構成した散水装置の第五実施形態においては、加圧水の噴流の反力によりヘッド部２ａ，２ｂ，２ｃが回転して散水される。この際、一段目のヘッド部２ａと三段目のヘッド部２ｃは同じ向きに回転し、二段目のヘッド部２ｂは逆向きに回転する。そして、このヘッド部２ａ，２ｂ，２ｃの回転に伴って、二つの磁石３５とコイル３６が擦れ違うことにより、電磁誘導によって誘導電流が発生するので、電子回路３７によりこの誘導電流を取り出すことで発電が行われる。この際、磁石３５を取り付けた一段目のヘッド部２ａおよび三段目のヘッド部２ｃと、コイル３６を取り付けた二段目のヘッド部２ｂが互いに逆向きに回転することにより、磁石３５とコイル３６が擦れ違う相対速度が速くなるので、より発電量が大きくなる。また、コイル３６が二つの磁石３５により上下から挟まれる状態となり、磁石３５が一つの場合よりも磁力が大きくなるので、より発電量が大きくなる。
【００３６】
この散水装置の第五実施形態によれば、一段目のノズル２２ａと三段目のノズル２２ｃに磁石３５が取り付けられ、二段目のノズル２２ｂにコイル３６が取り付けられており、発電に際して、加圧水が有するエネルギを回転運動に変換するための特別な構造や部材は不要である。よって、構造が簡易になるので、コストが安く、またメンテナンス性も良好である。また、発電部３がすべて散水装置の外側に取り付けられるものであるから、既設の散水装置に後付けして、発電機能を付加することも可能である。そして、磁石３５とコイル３６がそれぞれ互いに逆回転するノズルに取り付けられていて擦れ違う相対速度が速くなるので、より発電量が大きくなる。さらに、二つの磁石３５を有しており、磁石３５が一つの場合よりも磁力が大きくなるので、より発電量が大きくなる。
【００３７】
以上のように、本発明の散水装置は、散水しながら発電を行うものであり、発電した電気を種々の目的で使用できる。たとえば、照明や、散水中の表示を点灯させたり、通信装置を稼働させて遠隔地から散水装置の運転状態を監視したりすることができる。また、この散水装置は、必ずしも地面や建築物の躯体などに設置固定されていなくてもよく、移動可能な加圧タンクに取り付けてもよい。このようにすると、タンクを配置した場所でミストを噴出して気化熱により温度を下げるとともに、発電した電気により照明を点灯させるといった使い方もできる。さらに、次のような応用例も考えられる。
【００３８】
第一に、噴水を最適運転するためのシステムが挙げられる。これは、発電した電気により気温や湿度を測定するセンサを備え、その測定結果に基づいて加圧水のバルブを調整するものである。たとえば、気温の高い日には噴水量を多くしたり、雨の日には噴水量を少なくしたりすることができる。
【００３９】
第二に、養殖場などにおける水質管理システムが挙げられる。これは、水中に設置されるものであり、発電した電気により残有酸素濃度などを測定するセンサを備え、その測定結果に基づいて、養殖に適した水質になるように、散水して水を撹拌するものである。これにより、ポンプの稼働時間を低減できるので、省エネルギ効果がある。
【００４０】
第三に、消火用スプリンクラーが挙げられる。これは、火災時において、散水によって消火するとともに、照明を点灯させて避難路を示したり、警報を鳴らしたりするものである。また、温感型のバルブを用いることによって、火災時に自動的に作動させることができる。
【００４１】
本発明は、上記の実施形態に限定されない。たとえば、ヘッド部は、加圧水の噴流の反力により回転するものであればよく、回転体、ノズルおよび噴出口の構造はどのようなものであってもよい。また、ヘッド部は何段設けてもよい。さらに、第三実施形態や第四実施形態において、磁石とコイルの配置が逆であっても構わない。なお、第四実施形態を示す図４や、第五実施形態を示す図５は、模式的な図であるから、コイルと電子回路とが単純に結線されている。電子回路および電気の供給先である照明などがヘッド部に取り付けられている場合には、そのような結線でよいが、電子回路および電気の供給先がヘッド部以外の場所にある場合には、回転するヘッド部に取り付けた電極が、周囲に固定されたブラシに常に接触するような構造にすればよい。
【符号の説明】
【００４２】
１  給水管
２，２ａ，２ｂ，２ｃ  ヘッド部
３  発電部
２１，２１ａ，２１ｂ，２１ｃ  回転体
２２，２２ａ，２２ｂ，２２ｃ  ノズル
２３，２３ａ，２３ｂ，２３ｃ  噴出口
３１  発電機
３２  連結軸
３３  増速機
３４  連結管
３５  磁石
３６  コイル
３１１  入力軸（発電機）
３３１  入力軸（増速機）
３３２  出力軸（増速機）
【図１】
2014079707.tif 000003
【図２】
2014079707.tif 000004
【図３】
2014079707.tif 000005
【図４】
2014079707.tif 000006
【図５】
2014079707.tif 000007